(57)【要約】【課題】室外側からの雨水等の浸入を防止し水密性を向上する。【解決手段】一方側分割方立２及び他方側分割方立３からなる左右一対の分割式の方立１を、少なくとも室外側角部で突き合わせた突合わせ部分１ｅの内側にタイト材１０を配設する。前記タイト材１０は、基部１１と、この基部１１から起立するとともに対面する対の脚部１３、１３が立設され、これら脚部１３、１３の先端部から直接的又は間接的に連続して室外側方向のみに突出する室外側突出部１４を備えたシール部１２とから構成され、前記室外側突出部１４の外面部分に部材長手方向に沿って溝部１５を形成する。【選択図】図３
2012046907.tif 000002
【特許請求の範囲】
【請求項１】
左右一対の分割式の窓用縦枠材を少なくとも室外側角部で突き合わせた突合わせ部分の内側に配設されるタイト材であって、
前記タイト材は、基部と、この基部から起立するとともに、対面する対の脚部が立設され、これら脚部の先端部から直接的又は間接的に連続して室外側方向のみに突出する室外側突出部を備えたシール部とから構成され、前記室外側突出部の外面部分に部材長手方向に沿って溝部が形成されていることを特徴とするタイト材。
【請求項２】
前記室外側突出部は、各脚部の先端部から直接的に連続して室外側方向に屈曲するとともに、その先端部同士が結合され、内部に略Ｌ字状の中空部が形成されている請求項１記載のタイト材。
【請求項３】
前記室外側突出部の前記基部側の面には、部材長手方向に沿って溝部が形成されている請求項１、２いずれかに記載のタイト材。
【請求項４】
上記請求項１〜３いずれかに記載のタイト材を備えた窓用縦枠材であって、
前記窓用縦枠材は、室外側面、一方側見込み面及び室内側面を有し、他方側の見込み面が開口とされる一方側分割縦枠材と、前記開口とされる他方側見込み面を塞ぐように組み合わされ、少なくとも室外側端部が前記一方側分割縦枠材の室外側面の端縁の内側に突き合わされる他方側分割縦枠材とから構成され、
前記一方側分割縦枠材は、前記室外側面の内側であって前記開口とされる他方側見込み面の近傍位置に、左右対のリップ片による開口溝を前記他方側分割縦枠材側に向けた溝型断面のタイト材取付部を備え、
前記タイト材は、前記基部を前記開口溝に嵌合させて取り付けられ、前記室外側突出部を前記左右対のリップ片の内、室外側のリップ片とこれに対面する前記他方側分割縦枠材との間に介在させ、前記一方側分割縦枠材に他方側分割縦枠材を組み合わせた際、前記室外側突出部が圧縮され、前記室外側のリップ片と他方側分割縦枠材とに密着するように変形していることを特徴とする窓用縦枠材。
【発明の詳細な説明】
【技術分野】
【０００１】
本発明は、左右一対の分割式の窓用縦枠材を少なくとも室外側角部で突合わせた突合わせ部の内側に配設されるタイト材及びそれを備えた窓用縦枠材に関する。
【背景技術】
【０００２】
従来より、分割式方立の接合部分には、隙間から雨水が浸入するのを防止して水密性を確保するため、タイト材が備えられている。
【０００３】
例えば、下記特許文献１には、図７に示されるように、分割方立を構成する左右一対の方立構成部材５１、５２の室外側端部には、一方側の方立構成部材５１に嵌合用凹部５３が形成されるとともに、他方側の方立構成部材５２に前記嵌合用凹部５３に嵌合される嵌合片５４、５４が形成され、前記嵌合片５４、５４にそれぞれシール材５５が嵌合用凹部５３の内面に密着するように設けられた分割方立５０が開示されている。
【０００４】
また下記特許文献２には、図８に示されるように、一方側分割方立６１と他方側分割方立６２とから成る方立のうち、前記他方側分割方立６２は、室外側部分に前記一方側分割方立６１の室外側壁面の段部に室内側から当接する衝合片６３と、この衝合片６３と対面して形成された室外側係合片６４とを有し、前記衝合片６３と室外側係合片６４との間には室外側タイト材６５が横架され、その先端部が前記一方側分割方立６１に密着するように設けられた分割方立６０が開示されている。
【０００５】
一方、従来より、図９に示されるように、一方側分割方立７１及び他方側分割方立７２からなる左右一対の分割式の方立を室外側角部で突き合わせた突合わせ部分７０ａの内側に、基部７３と、この基部７３から起立するとともに対面する対の脚部７４、７４が立設され、これら脚部７４、７４の先端部から連続して室外側方向及び室内側方向の２方向に突出する突出部７５を備えたシール部７６とから構成されたタイト材７７を配設した窓用縦枠材７０が実用化されている。
【先行技術文献】
【特許文献】
【０００６】
【特許文献１】特開平７−３００９３１号公報
【特許文献２】特開２００３−１３８８５２号公報
【発明の概要】
【発明が解決しようとする課題】
【０００７】
しかしながら、上記特許文献１、２記載の分割方立５０、６０はいずれも、一方側分割方立及び他方側分割方立が室内外方向に重なり代を有するような係合片が備えられ（図７に示される分割方立５０では係合片５４、図８に示される分割方立６０では係合片６３、６４）、この係合片に設けられたタイト材が分割方立の内側に密着する構造となっている。具体的には、タイト材５５、６５を嵌合凹部に保持するための保持部と、この保持部からフィン状に突出して、その先端部が一方側方立に密着する突出部とを有する構造とされ、前記突出部の曲げ反力によって一方側方立の内側に密着させることにより水密性を持たせるようにしたものである。かかる構造では、タイト材のタイト面が前記フィン状の突出部の先端しかないため、水密性が不十分であるとともに、タイト材の劣化等によって突出部先端の密着状態が低下しやすく、水密性が十分に確保されない場合があった。
【０００８】
更に、図９に示される窓用縦枠材７０では、タイト材７７の突出部７５を一方側分割方立７１と他方側分割方立７２との間で圧縮することにより密着性を確保するものであり水密性は確保されるが、図６(C)に示されるように、左右対のリップ片による開口溝の両方のリップ片と他方側分割方立７２との間に突出部７５が介在するため、タイト材７７の反発力が大きくなり、他方側分割方立７２にかかる応力が大きくなる。その結果、突合わせ部分７０ａの目地が開きやすくなり、雨水等が浸入しやすかったり、外観が損なわれたりする問題が生じていた。
【０００９】
そこで本発明の主たる課題は、左右一対の分割式の窓用縦枠材を少なくとも室外側角部で突き合わせた突合わせ部分の内側に配設することにより、室外側からの雨水等の浸入を防止し水密性を向上したタイト材及びそれを備えた窓用縦枠材を提供することにある。
【課題を解決するための手段】
【００１０】
上記課題を解決するために請求項１に係る本発明として、左右一対の分割式の窓用縦枠材を少なくとも室外側角部で突き合わせた突合わせ部分の内側に配設されるタイト材であって、
前記タイト材は、基部と、この基部から起立するとともに、対面する対の脚部が立設され、これら脚部の先端部から直接的又は間接的に連続して室外側方向のみに突出する室外側突出部を備えたシール部とから構成され、前記室外側突出部の外面部分に部材長手方向に沿って溝部が形成されていることを特徴とするタイト材が提供される。
【００１１】
上記請求項１記載の発明は、左右一対の分割式の窓用縦枠材を少なくとも室外側角部で突き合わせた突合わせ部分の内側に、室外側からの雨水等の浸入を防止するためタイト材を配設するようにしたものである。
【００１２】
このタイト材は、前記窓用縦枠材に取り付けられる基部と、この基部から起立するとともに、対面する対の脚部が立設され、これら脚部の先端部から直接的又は間接的に連続して室外側方向のみに突出する室外側突出部を備えたシール部とから構成され、前記室外側突出部の外面部分に部材長手方向に沿って溝部が形成されている。かかるタイト材は、前記シール部の室外側突出部が前記窓用縦枠材の突合わせ部分の内側に密着することにより、水密性が確保されている。このとき前記室外側突出部を室外側方向のみに突出させてあるため、図９に示される従来のタイト材７７のように、室外側方向及び室内側方向の２方向に突出させた突出部とした場合に比べ、他方側分割方立にかかる反発力が低下し、突合わせ部分の開きが防止できる。このため、水密性がより安定的に確保されるとともに、外観が良好となる。
【００１３】
また、前記タイト材には、室外側突出部の外面部分に部材長手方向に沿って溝部が形成されているため、他方側分割方立側からの圧縮負荷時に、室外側突出部が窓用縦枠材の突合わせ部分の内側で変形しやすくなり、より高度に水密性が確保されると同時に、反発力も軽減するため突合わせ部分の開きが防止できる。
【００１４】
なお、室外側突出部が脚部の先端部から「間接的」に連続して突出するとは、対の脚部の先端部から両者を連結する間接部（例えば、後述の連結部１６）が設けられ、この間接部から室外側方向のみに突出する室外側突出部を備えるものである。
【００１５】
請求項２に係る本発明として、前記室外側突出部は、各脚部の先端部から直接的に連続して室外側方向に屈曲するとともに、その端部で結合して形成され、内部に略Ｌ字状の中空部が形成されている請求項１記載のタイト材が提供される。
【００１６】
上記請求項２記載の発明は、前記室外側突出部が脚部の先端部から「直接的」に連続して突出する場合について具体的に規定したものであり、各脚部の先端部から直接的に連続して室外側方向に屈曲するとともに、その端部で結合して形成され、内部に略Ｌ字状の中空部を形成した、いわゆるホロー形状としたものである。このようにシール部の内部を中空状のホロー形状とすることにより、分割式の窓用縦枠材を組み立てた際、シール部全体が一体的に変形して突合わせ部分の内側にフィットし、水密性が確保されると同時に、反発力も軽減するため突合わせ部分の開きが防止できる。
【００１７】
請求項３に係る本発明として、前記室外側突出部の前記基部側の面には、部材長手方向に沿って溝部が形成されている請求項１、２いずれかに記載のタイト材が提供される。
【００１８】
上記請求項３記載の発明では、室外側突出部の基部側の面にも、部材長手方向に沿って溝部を形成することにより、突合わせ部分の内側へのフィット性をより向上させたものである。
【００１９】
請求項４に係る本発明として、上記請求項１〜３いずれかに記載のタイト材を備えた窓用縦枠材であって、
前記窓用縦枠材は、室外側面、一方側見込み面及び室内側面を有し、他方側の見込み面が開口とされる一方側分割縦枠材と、前記開口とされる他方側見込み面を塞ぐように組み合わされ、少なくとも室外側端部が前記一方側分割縦枠材の室外側面の端縁の内側に突き合わされる他方側分割縦枠材とから構成され、
前記一方側分割縦枠材は、前記室外側面の内側であって前記開口とされる他方側見込み面の近傍位置に、左右対のリップ片による開口溝を前記他方側分割縦枠材側に向けた溝型断面のタイト材取付部を備え、
前記タイト材は、前記基部を前記開口溝に嵌合させて取り付けられ、前記室外側突出部を前記左右対のリップ片の内、室外側のリップ片とこれに対面する前記他方側分割縦枠材との間に介在させ、前記一方側分割縦枠材に他方側分割縦枠材を組み合わせた際、前記室外側突出部が圧縮され、前記室外側のリップ片と他方側分割縦枠材とに密着するように変形していることを特徴とする窓用縦枠材が提供される。
【００２０】
上記請求項４記載の発明は、上記タイト材を備えた窓用縦枠材として好適な構成について規定したものである。
【発明の効果】
【００２１】
以上詳説のとおり本発明によれば、左右一対の分割式の窓用縦枠材を少なくとも室外側角部で突き合わせた突合わせ部分の内側に配設することにより、室外側からの雨水等の浸入を防止し水密性を向上したタイト材及びそれを備える窓用縦枠材が提供できるようになる。
【図面の簡単な説明】
【００２２】
【図１】本発明に係る方立１を用いて構築されたフロントサッシＳの横断面図である。
【図２】フロントサッシＳの縦断面図である。
【図３】方立１の横断面図である。
【図４】方立１の室外側角部の拡大図である。
【図５】他の形態に係る方立１の室外側角部の拡大図である。
【図６】タイト材の圧縮状態を示す解析図である。
【図７】従来の分割方立５０の断面図である。
【図８】従来の分割方立６０の断面図である。
【図９】従来の窓用縦枠材７０の室外側角部を示す断面図である。
【発明を実施するための形態】
【００２３】
以下、本発明の実施の形態について図面を参照しながら詳述する。
図１及び図２に示されるように、フロントサッシＳは、方立１と左右の縦枠Ｐ、Ｐと上下枠Ｑ、Ｒとによって方形枠が構成され、これらの各開口に対してガラスＧが嵌め込まれている。また、下枠Ｒの室外側において、躯体上面に取り付けられた水切りとの接続部分であって方立１の下端との開口部分がコーキングＣ１によって塞がれるとともに、縦枠Ｐ、Ｐ及び上枠Ｑの室外側において、躯体との接続部分に設けられた躯体切欠き部がコーキングＣ２によって塞がれている。
【００２４】
以下、前記方立１について詳述すると、図３に示されるように、前記方立１は、２つの分割方立が連結された分割式とされている。前記方立１は、室外側面１ａ、一方側見込み面１ｃ及び室内側面１ｂを有し、他方側見込み面が開口とされる一方側分割方立２と、前記開口とされる他方側見込み面１ｄを塞ぐように組み合わされ、室外側端部が一方側分割方立２の室外側面の端縁の内側に突合わせ部分１ｅで突き合わされ、且つ室内側端部が一方側分割方立２の室内側面の端縁の内側に突合わせ部分１ｆで突き合わされる他方側分割方立３とから構成されている。前記一方側見込み面１ｃ及び他方側見込み面１ｄの室内外方向中央部にはそれぞれ、部材長手方向に沿って、ガラスＧ嵌合用の凹溝１ｇ、１ｈがそれぞれ形成され、その凹溝１ｇ、１ｈの底面には一方側分割方立２と他方側分割方立３とを連結する連結用ビス４が部材長手方向に沿って所定の間隔で複数設けられている。
【００２５】
図４に示されるように、前記一方側分割方立２には、前記室外側面１ａの内側であって開口とされる他方側見込み面１ｄの近傍位置に、左右対のリップ片６ａ、６ｂによる開口溝５を他方側分割方立３に向けた溝型断面のタイト材取付部７が備えられている。前記タイト材取付部７には、所定のタイト材１０が備えられている。
【００２６】
他方、図３に示されるように、一方側分割方立２の室内側面１ｂの内側には、前記突合わせ部分１ｆの内側に位置合わせ用の起立片８が形成されている。
【００２７】
前記タイト材１０は、図４に示されるように、前記開口溝５に嵌合させて取り付けられる基部１１と、この基部１１から起立するとともに、対面する対の脚部１３、１３が立設され、これら脚部１３、１３の先端部から直接的に連続して室外側方向に屈曲するとともに、その先端部同士が結合されることにより、室外側方向のみに突出する室外側突出部１４を備えたシール部１２とから構成されている。これにより、前記シール部１２の内部は、脚部１３から室外側突出部１４にかけて略Ｌ字状の中空部とされた、いわゆるホロー形状に形成されている。
【００２８】
前記室外側突出部１４は、前記左右対のリップ片６ａ、６ｂの内、室外側のリップ片６ａに接触する第１のタイト面１４ａと、前記他方側分割方立３の内面側に接触する第２のタイト面１４ｂとを有している。前記第１のタイト面１４ａとリップ片６ａとが密着することによって開口溝５内への雨水等の浸入が阻止され、前記第２のタイト面１４ｂと他方側分割方立３の内面とが密着することによって方立１内部への雨水等浸入が阻止されている。これにより、突合わせ部分１ｅから方立１内部への雨水等の浸入が防止できる。
【００２９】
前記室外側突出部１４の外面部分（前記第２のタイト面１４ｂ）には、部材長手方向に沿って複数の溝部１５、１５…が形成されている。前記溝部１５は、室外側突出部１４の外形線より内側に切込みを設けることにより形成することが好ましく、特にこの切込み形状として図示例のようにＶ字状とすることが好ましい。
【００３０】
更に、前記室外側突出部１４の基部１１側の面（前記第１のタイト面１４ａ）にも同様に、部材長手方向に沿って溝部２０を形成することができる。これにより、突合わせ部分１ｅの内側へのフィット性が向上するようになる。
【００３１】
前記タイト材１０は、塩化ビニル系、オレフィン系などの樹脂材を成型したものであり、細長に形成されている。前記基部１１及びシール部１２は、同じ硬度としてもよいが、異なる硬度とすることができる。異なる硬度とした場合、基部１１の方がシール部１２より高い硬度とすることが好ましい。例えば、基部１１を硬度９０°、シール部１２を硬度５０°などとすることができる。
【００３２】
前記脚部１３、１３は、前記タイト材１０をタイト材取付部７に取り付けた状態で、開口溝５の内側に存在する部分のことである。従って、図４に示される形態のタイト材１０では、これら脚部１３の先端部から直接的に連続する部分、即ち開口溝５より外側に存在する部分が室外側突出部１４を構成する。前記対の脚部１３、１３は同じ肉厚で形成することもできるが、異なる肉厚で形成することもできる。異なる肉厚で形成する場合、室外側の脚部１３の肉厚を室内側の脚部１３の肉厚より薄く形成することが好ましい。これにより、後段で詳述する室外側突出部１４の圧縮時に、脚部が室外側に倒れやすくなり、室外側でのタイト材の密着性を高めることができる。
【００３３】
方立１の組立ては、先ず、前記一方側分割方立２の開口溝５にタイト材１０の基部１１を嵌合させることにより、タイト材１０の室外側突出部１４を室外側のリップ片６ａの外面側に配置した状態とする。次に、このタイト材１０を取り付けた一方側分割方立２の開口とされる他方側見込み面を塞ぐように、他方側分割方立３を組み合わせ、前記連結用ビス４で一方側分割方立２と他方側分割方立３とを連結する。この連結用ビス４を締め込むことによって、前記リップ片６ａと他方側分割方立３との間で室外側突出部１４が圧縮され、このリップ片６ａ及び他方側分割方立３に密着するように変形する（図６(A)参照）。
【００３４】
タイト材１０の変形について、図６(A)に基づいて詳述すると、タイト材１０はホロー形状に形成されているため、他方側分割方立３からの圧縮を受けると、シール部１２が室内外方向に広がるように変形する。ところが、室外側方向に対しては、室外側突出部１４の室外側先端部が一方側分割方立２の内面に当接することにより変形が規制されるとともに、室内側方向に対しては、対の脚部１３、１３のうち室内側の脚部１３が室内側のリップ片６ｂの先端に当接し変形が規制される。このように変形が規制されたところへ、更に他方側分割方立３による圧縮を受けると、通常では他方側分割方立３側への反発力となり、突合わせ部分１ｅの開きの原因となるが、本発明に係るタイト材１０では、室外側突出部１４の外面部分に溝部１５が形成されているため、この溝部１５を可撓軸として室外側突出部１４の外面部分が内側に凹むように変形するようになる。具体的には、室外側突出部１４の外面部分の室内外方向中間部が凹んで、第２のタイト面１４ｂとしては、この凹部の室外側及び室内側の２箇所で他方側分割方立３の内面に接触するようになる。
【００３５】
次に、図５に基づいて、他の形態に係るタイト材１０′について説明する。このタイト材１０′は、室外側突出部１４′が基部１１から立設される対の脚部１３、１３の先端部から間接的に連続して備えられるようにしたものである。具体的には、タイト材１０′は、基部１１と、この基部１１から起立するとともに対面する対の脚部１３、１３が立設され、これら脚部１３、１３の先端部から両者を円弧状に連結する連結部１６が設けられ、この連結部１６から室外側方向のみに突出する室外側突出部１４′を備えたシール部１２′とから構成されている。
【００３６】
前記室外側突出部１４′は、他方側分割方立３とほぼ平行して室外側方向に突出する第１の突出部１７と、その先端部から連続して斜め内側に屈折する第２の突出部１９とから形成されている。前記第２の突出部１９の先端部には、一方側分割方立２の室外側リップ片６との接触を図るためのタイト片が備えられている。前記第１の突出部１７の外面部分には、部材長手方向に沿って溝部１５、１５…が形成されている。この溝部１５は、前記間接部１６の外面側先端部より突出する突起部１５ａ、１５ａ…の突起間隙によって形成されている。
【００３７】
このタイト材１０′の変形については、図６(B)に示されるように、他方側分割方立３からの圧縮力を受けると、第１の突出部１７の外面部分が他方側分割方立３の内側に接触するとともに、第２の突出部１９の先端部及びタイト片１８がリップ片６ａに接触するように変形し、それぞれ水密性が確保されている。
【００３８】
〔他の形態例〕
(1)上記形態例では、隣接するガラスＧ、Ｇを仕切る方立について説明したが、左右の縦枠Ｐについても同様に適用することができる。
【００３９】
(2)上記形態例では、室外側の突合わせ部分１ｅにのみタイト材１０を配設したが、室内側の突合わせ部分１ｆにも同様にしてタイト材を配設することができる。
【符号の説明】
【００４０】
１…方立、１ｅ・１ｆ…突合わせ部分、２…一方側分割方立、３…他方側分割方立、４…連結用ビス、５…開口溝、５ａ…開口、６ａ・６ｂ…リップ片、７…タイト材取付部、１０…タイト材、１１…基部、１２…シール部、１３…脚部、１４…室外側突出部、１５…溝部
【図１】
2012046907.tif 000003
【図２】
2012046907.tif 000004
【図３】
2012046907.tif 000005
【図４】
2012046907.tif 000006
【図５】
2012046907.tif 000007
【図７】
2012046907.tif 000008
【図８】
2012046907.tif 000009
【図９】
2012046907.tif 000010
【図６】
2012046907.tif 000011